(57)【要約】      （修正有）【課題】燃え残りが発生することなく、見栄えが良好で、十分な耐久性を確保することが可能な棺のヒンジ構造を提供する。【解決手段】棺は、下箱の上に載置される前蓋１３Ａと、前記下箱の上に前記前蓋の後方に並んで載置される後蓋１３Ｂと、前記後蓋１３Ｂに対して前記前蓋１３Ａを下箱の上方前向きに開閉可能に連結するヒンジＨとを備える。前蓋１３Ａおよび後蓋１３Ｂには棺表面の化粧用の布地が貼り付けられる。ヒンジＨは、布地を２枚に重ねてそのヒンジ軸に相当する長さ分だけ直線上に縫い合わせ、この縫い合わせ部分から分岐する４枚の布片のうち、隣り合う２枚の布片を後蓋１３Ｂの表面に貼り付ける一方、残りの２枚の布片を前蓋１３Ａの表面に貼り付け、さらに、後蓋１３Ｂと前蓋１３Ａとの棺外側の隣接部分に、上記縫い合わせ部分をヒンジ軸として一致させることにより形成される。【選択図】図２
0003177103.tif 000002
【実用新案登録請求の範囲】
【請求項１】
棺の下箱と、
この下箱の上に設けられる前記棺の蓋と、
前記下箱に対して前記蓋を開閉可能に連結するヒンジとを備え、
前記下箱および前記蓋は、これらの下地に棺表面の化粧用の布地が貼り付けられるものであり、
前記ヒンジは、前記布地を２枚に重ねてそのヒンジ軸に相当する長さ分だけ直線上に縫い合わせ、次いで、この縫い合わせ部分から分岐する４枚の布片のうち、隣り合う２枚の布片を前記下箱の表面に貼り付ける一方、残りの２枚の布片を前記蓋の表面に貼り付け、さらに、前記下箱と前記蓋との前記棺の外側の隣接部分に、前記縫い合わせ部分を前記ヒンジ軸として一致させることにより形成されるものである、ことを特徴とする棺のヒンジ構造。
【請求項２】
棺に設けられる窓枠と、
この窓枠の内側に設けられる前記棺の窓扉と、
前記窓枠に対して前記窓扉を開閉可能に連結するヒンジとを備え、
前記窓枠および前記窓扉は、これらの下地に棺表面の化粧用の布地が貼り付けられるものであり、
前記ヒンジは、前記布地を２枚に重ねてそのヒンジ軸に相当する長さ分だけ直線上に縫い合わせ、次いで、この縫い合わせ部分から分岐する４枚の布片のうち、隣り合う２枚の布片を前記窓枠の表面に貼り付ける一方、残りの２枚の布片を前記窓扉の表面に貼り付け、さらに、前記窓枠と前記窓扉との前記棺の外側の隣接部分に、前記縫い合わせ部分を前記ヒンジ軸として一致させることにより形成されるものである、ことを特徴とする棺のヒンジ構造。
【請求項３】
棺の下箱と、
この下箱の上に載置される前蓋と、
前記下箱の上に前記前蓋の後方に並んで載置される後蓋と、
前記後蓋に対して前記前蓋を前記下箱の上方前向きに開閉可能に連結するヒンジとを備え、
前記前蓋および前記後蓋は、これらの下地に棺表面の化粧用の布地が貼り付けられるものであり、
前記ヒンジは、前記布地を２枚に重ねてそのヒンジ軸に相当する長さ分だけ直線上に縫い合わせ、次いで、この縫い合わせ部分から分岐する４枚の布片のうち、隣り合う２枚の布片を前記後蓋の表面に貼り付ける一方、残りの２枚の布片を前記前蓋の表面に貼り付け、さらに、前記後蓋と前記前蓋との前記棺の外側の隣接部分に、前記縫い合わせ部分を前記ヒンジ軸として一致させることにより形成されるものである、ことを特徴とする棺のヒンジ構造。
【請求項４】
請求項３記載の棺のヒンジ構造であって、
前記前蓋および前記後蓋は、前記棺の前後方向に対して横断面が台形または蒲鉾形に形成されており、
前記前蓋と前記後蓋の隣接部分のうち前記ヒンジを除く部位に、前記前蓋が閉鎖状態にあるときは前記前蓋と前記後蓋との間に折り畳まれ、かつ、前記前蓋が開放状態にあるときは前記前蓋と前記後蓋との間に繋がって展開する架橋布が設けられる、棺のヒンジ構造。
【請求項５】
請求項１〜４のいずれか一項記載の棺のヒンジ構造であって、前記２枚の布地の固定手段として、縫製糸に代えて接着剤を用いる、棺のヒンジ構造。
【請求項６】
請求項１〜５のいずれか一項記載のヒンジ構造を有する棺。
【考案の詳細な説明】
【技術分野】
【０００１】
本考案は、棺のヒンジ構造に関するもので、詳しくは、布貼り棺に適した棺のヒンジ構造に関するものである。
【背景技術】
【０００２】
従来より、棺には蓋や窓扉がヒンジにより開閉するものがある。通常、棺のヒンジには、金属蝶番が採用され、その一対の取付片が棺のベース部（下箱や窓枠）と可動部（蓋や窓扉）とにそれぞれ釘やネジ等で固定される。各取付片が回動軸で連結されることで、可動部がベース部に対して開閉することになる。
【０００３】
一方、棺にはその表面に布地を貼り付けて化粧を施すことがある。布貼り棺は、合板等の下地が布地で隠れるため、棺の外観が高級感のある仕上がりになる。
このような布貼り棺に蓋や窓扉のヒンジを設ける場合、通常、この下地に布地を貼り付けてから、ベース部（下箱や窓枠）と可動部（蓋や窓扉）の表面に金属蝶番を固定している。
【０００４】
なお、棺のヒンジ構造に関する先行技術としては、特許文献１および特許文献２が開示されている。
【先行技術文献】
【特許文献】
【０００５】
【特許文献１】特開平６−４８６４９号公報
【特許文献２】実用新案登録第３０７９３９３号公報
【考案の概要】
【考案が解決しようとする課題】
【０００６】
しかしながら、このような従来の棺のヒンジ構造では、次のような問題がある。
（１）棺の焼却時に金属蝶番の燃え残りが生じるため、その分別作業に手間がかかる。最近では、環境保護の要請から段ボール材を用いた棺が注目されており、このような燃え残りを極力少なくすることが望ましい。
（２）布地の上から蝶番を固定するため、布地の表面の一部が蝶番で隠れてしまう。蝶番の位置や色によっては、化粧仕上げを施した棺の見栄えが悪くなることがある。
【０００７】
上記（１）および（２）の対策として、金属蝶番に代えて紙製ヒンジを採用することも考えられるが（特許文献１参照）、このような紙製ヒンジは破れやすく、耐久性が不十分になりやすい。
【０００８】
本考案はこのような現状に鑑みなされたもので、燃え残りが発生することなく、見栄えが良好で、しかも、十分な耐久性を確保することが可能な棺のヒンジ構造を提供することを目的としている。
【課題を解決するための手段】
【０００９】
［第１考案］
前記課題を解決するための第１考案の棺のヒンジ構造は、
棺の下箱や窓枠などのベース部と、
このベース部に隣接して設けられる蓋や窓扉などの可動部と、
前記ベース部に対して前記可動部を開閉可能に連結するヒンジと、
前記ベース部および前記可動部を含む前記棺の下地に貼り付けられる布地とを備え、
前記ヒンジは、前記布地を２枚に重ねてそのヒンジ軸に相当する長さ分だけ直線上に縫い合わせ、次いで、この縫い合わせ部分から分岐する４枚の布片のうち、隣り合う２枚の布片を前記ベース部の表面に貼り付け、残りの２枚の布片を前記可動部の表面に貼り付けてなる構成とした。
【００１０】
すなわち、第１考案による詳細な棺のヒンジ構造は、
棺の下箱と、
この下箱の上に設けられる前記棺の蓋と、
前記下箱に対して前記蓋を開閉可能に連結するヒンジとを備え、
前記下箱および前記蓋は、これらの下地に棺表面の化粧用の布地が貼り付けられるものであり、
前記ヒンジは、前記布地を２枚に重ねてそのヒンジ軸に相当する長さ分だけ直線上に縫い合わせ、次いで、この縫い合わせ部分から分岐する４枚の布片のうち、隣り合う２枚の布片を前記下箱の表面に貼り付ける一方、残りの２枚の布片を前記蓋の表面に貼り付け、さらに、前記下箱と前記蓋との前記棺の外側の隣接部分に、前記縫い合わせ部分を前記ヒンジ軸として一致させることにより形成される構成とした。
【００１１】
また、第１考案による他の詳細な棺のヒンジ構造は、
棺に設けられる窓枠と、
この窓枠の内側に設けられる前記棺の窓扉と、
前記窓枠に対して前記窓扉を開閉可能に連結するヒンジとを備え、
前記窓枠および前記窓扉は、これらの下地に棺表面の化粧用の布地が貼り付けられるものであり、
前記ヒンジは、前記布地を２枚に重ねてそのヒンジ軸に相当する長さ分だけ直線上に縫い合わせ、次いで、この縫い合わせ部分から分岐する４枚の布片のうち、隣り合う２枚の布片を前記窓枠の表面に貼り付ける一方、残りの２枚の布片を前記窓扉の表面に貼り付け、さらに、前記窓枠と前記窓扉との前記棺の外側の隣接部分に、前記縫い合わせ部分を前記ヒンジ軸として一致させることにより形成される構成とした。
【００１２】
このような構成によれば、棺のベース部と可動部とが布地の直線上の縫い合わせ部分で折れ曲がる。つまりこの縫い合わせ部分がベース部と可動部を開閉するヒンジとなる。これにより、金属蝶番を採用しなくとも蓋や扉を開閉させることができ、ヒンジの燃え残りの問題を解消することができる。
また、縫い合わせ部分に布地の表面がそのまま表れるため、布地の色や柄をヒンジの外観として見せることができる。この結果、デザイン性に優れた見栄えのよい棺を実現することが可能になる。
さらに、布地の縫い合わせ部分は、紙製ヒンジに比較して丈夫で耐久性に優れるため、繰り返し折り曲げても破断する心配がない。
【００１３】
このように本考案は、従来の布貼り棺の布地をヒンジの構成材として利用することで、前述の問題点を解消するものである。釘やネジなどの留め具も不要になり、製造コストの削減にも役立つ。
【００１４】
第１考案のヒンジ構造は、布貼り棺の蓋や窓扉などに適用することができるが、特に、下箱の上に前蓋と後蓋とを並べる縦開きタイプの棺に適用すると効果的である。縦開きタイプの棺は、両者の間のヒンジにより前蓋（可動部）が後蓋（ベース部）に対して上方前向きに開放するもので、片手でも簡単に前蓋を開閉することができる。
【００１５】
［第２考案］
すなわち、本考案の棺のヒンジ構造は、
棺の下箱と、
この下箱の上に載置される前蓋と、
前記下箱の上に前記前蓋の後方に並んで載置される後蓋と、
前記後蓋に対して前記前蓋を前記下箱の上方前向きに開閉可能に連結するヒンジとを備え、
前記前蓋および前記後蓋は、これらの下地に棺表面の化粧用の布地が貼り付けられるものであり、
前記ヒンジは、前記布地を２枚に重ねてそのヒンジ軸に相当する長さ分だけ直線上に縫い合わせ、次いで、この縫い合わせ部分から分岐する４枚の布片のうち、隣り合う２枚の布片を前記後蓋の表面に貼り付ける一方、残りの２枚の布片を前記前蓋の表面に貼り付け、さらに、前記後蓋と前記前蓋との前記棺の外側の隣接部分に、前記縫い合わせ部分を前記ヒンジ軸として一致させることにより形成される構成とした。
【００１６】
このような構成では、前蓋および後蓋に貼り付けられる布地の縫い合わせ部分がヒンジとなる。これにより、第１考案と同様に、金属蝶番が不要となり、燃え残りの問題を解消することができる。
また、従来の縦開きタイプの棺では、前蓋および後蓋の天板隣接部に金属蝶番の外観が目立って邪魔になることがあったが、第２考案の構成では、布地がヒンジの外観となるため、ヒンジの存在が目立たず、布地の色や柄を天板全体に活かすことができる。
【００１７】
また、第２考案によれば、布地の縫い合わせ部分が紙製ヒンジに比較して丈夫で耐久性に優れるため、前蓋を繰り返し開閉しても、ヒンジが壊れる心配もない。
さらには、前蓋および後蓋の天板隣接部にヒンジによる凹凸が生じないため、保管や運搬の際に棺を積み上げてスペースを有効に利用するといったことも可能になる。
【００１８】
第２考案の構成において、前蓋と後蓋のヒンジを２枚の布地で形成する方法としては、両者の間に前後方向に布地を重ねて下地に貼り付ける方法（図６参照）と、両者の間に上下方向に布地を重ねて下地に貼り付ける方法（図９参照）とが考えられる。
前者の場合、前蓋および後蓋のヒンジ以外の隣接部を前後の布地で切れ目なく覆い隠せる利点がある。後者の場合、単一の布地が蓋の外側または内側に表れるため、前蓋と後蓋との境界で布地の模様や柄の連続性を損なわないという利点がある。必要に応じていずれの方法を採用しても構わない。
【００１９】
［第３考案］
第３考案の棺のヒンジ構造は、第２考案の構成を有するものであって、
前記前蓋および前記後蓋は、前記棺の前後方向に対して横断面が台形または蒲鉾形に形成されており、
前記前蓋と前記後蓋の隣接部分のうち前記ヒンジを除く部位に、前記前蓋が閉鎖状態にあるときは前記前蓋と前記後蓋との間に折り畳まれ、かつ、前記前蓋が開放状態にあるときは前記前蓋と前記後蓋との間に繋がって展開する架橋布が設けられる構成とした。
【００２０】
一般に、前述の縦開きタイプの棺は、前蓋と後蓋の天板同士の隣接部が直線上に連なる。このため、この直線長さの範囲で２枚の布地を縫い合わせれば、十分なヒンジ長さを確保することができる。
しかしながら、このような隣接部の直線長さが短い棺では、布地の縫い合わせによるヒンジ長さが短くなるため、ヒンジの連結が外れて前蓋が後蓋から分離するおそれがある。特に、前蓋と後蓋の天板の形状が台形または蒲鉾形になっている棺ではこのような問題が顕著になる。
【００２１】
第３考案の構成によれば、布地の縫い合わせによるヒンジに加えて架橋布で前蓋と後蓋とを連結するため、仮にヒンジの連結が外れても、架橋布が前蓋と後蓋を繋ぎ、両者が分離することはない。これにより、ヒンジの開閉を安心して行うことが可能になる。
また、第３考案の構成では、前蓋と後蓋の隣接部のうちヒンジを除く部位を架橋布で覆い隠すことができるため、このような部位の布貼りを省略でき、布端の始末を容易にすることができるという効果も得られる。
【００２２】
［第４考案］
第１〜３考案のヒンジ構造において、２枚の布地の固定手段としては、縫製による他、接着剤を使用してもよい。
すなわち、第４考案の棺のヒンジ構造は、第１〜３考案のいずれかの構成を有するものであって、２枚の布地の固定手段として、前記縫製糸に代えて、接着剤を用いる構成とした。
【００２３】
このような構成によれば、２枚の布地の接着部分がヒンジの役目を果たすため、第１〜３考案と同様に金属蝶番を使用しなくとも、蓋や窓の開閉が可能になる。
また、布地の表面にヒンジが目立つことがなく、棺の見栄えを良好にすることができる。  さらに、布地同士を接着剤で強力に貼り合わせることができるため、ヒンジの耐久性も十分に確保することができる。
なお、前記接着剤は、樹脂材料などの可燃性のものであればよく、粘液状タイプの他、熱溶着テープ等であってもよい。
【００２４】
［第１〜４考案］
第１〜４考案の棺のヒンジ構造は、布貼りを施す棺であれば適用することができ、その形状は問わない。例えば、平面四角形タイプの棺の他、平面八角形タイプの棺にも適用することができる。また、棺の材料には、環境配慮の面から段ボール材を採用することが望ましいが、もちろん木材であっても構わない。棺の用途（人用、ペット用等）や種類（寝棺、座棺等）についても特に限定されることはない。
第１〜４考案は、必要に応じて単独で適用してもよいし、これらの考案を組み合わせて適用してもよい。また、本明細書に記載される他の考案を組み合わせてもよい。
【図面の簡単な説明】
【００２５】
【図１】本考案の第１実施形態の棺を示すもので、蓋が閉じた状態を示す斜視図である。
【図２】同棺を示すもので、蓋が開いた状態を示す斜視図である。
【図３】図２に示す棺をヒンジを正面から観た拡大図である。
【図４】同棺のヒンジ構造を示すもので、布地を前後方向に重ねる製法を説明するための側面模式図である。
【図５】同棺のヒンジ構造を示すもので、布地を前後方向に重ねる製法を説明するための平面模式図である。
【図６】同棺の全体構成を示すもので、布地を前後方向に重ねる製法を説明するための斜視図である。
【図７】同棺のヒンジ構造を示すもので、布地を上下方向に重ねる製法を説明するための側面模式図である。
【図８】同棺のヒンジ構造を示すもので、布地を上下方向に重ねる製法を説明するための平面模式図である。
【図９】同棺の全体構成を示すもので、布地を上下方向に重ねる製法を説明するための斜視図である。
【図１０】本考案の第２実施形態の棺を示すもので、蓋が閉じた状態を示す斜視図である。
【図１１】同棺を示すもので、蓋が開いた状態を示す斜視図である。
【図１２】同棺のヒンジ構造を示すもので、（Ａ）は前蓋と後蓋とを繋ぐ架橋布の製法を説明するための平面模式図、（Ｂ）は同側面模式図である。
【図１３】本考案の第３実施形態の棺を示すもので、蓋が開いた状態を示す斜視図である。
【図１４】本考案の第４実施形態の棺を示すもので、（Ａ）は窓扉が閉じた状態を示す断面図、（Ｂ）は窓扉が開いた状態を示す断面図である。
【考案を実施するための形態】
【００２６】
以下、本考案の実施形態を図面に基づいて説明する。なお、実施形態の説明上、前後方向は棺の長手方向を意味し、左右方向は棺の短手方向を意味する。
【００２７】
［第１実施形態］
第１実施形態の棺を図１〜図９に示した。第１実施形態は、一般的な台形蓋を有する縦開きタイプの棺に本考案を適用したものである。
【００２８】
図１および図２に示すように、棺１０は、下箱１２と蓋１３が組み合わされてなる。下箱１２の上方に蓋１３が載置されている。蓋１３の矩形の天板には棺側面に向けて下方に傾斜する面取り板が連なる。棺１０に納棺を行う際には、棺１０の前後で蓋１３の端を持って移動させることで下箱１２が全面開放する。
棺１０の寸法は、例えば長さが１７０〜２００ｃｍ程度、幅が５０〜７０ｃｍ程度、下箱１２と蓋１３を含めた高さが４０〜５０ｃｍ程度である。
【００２９】
蓋１３は、前蓋１３Ａと後蓋１３Ｂとに分割されている。これらの天板同士の隣接部にヒンジＨが設けられている。前蓋１３Ａのみを持ち上げると、前蓋１３ＡがヒンジＨによって後蓋１３Ｂ側に跳ね上がるように回動する。そして、図２および図３に示すように、下箱１２の前側部分のみが半開放する。
【００３０】
棺１０の下地については合板や段ボール材が用いられる。特に、下箱１２および蓋１３の両方、またはいずれか一方に三層強化段ボール（トライウォール社製）を使用することが望ましい。この種の段ボール材は、２枚の厚板（ライナー）の間に、３層の波板が仕切り板を介して積層されてなるもので、優れた耐圧性・耐水性をもつ。このような強化段ボール材を用いることで、ヒンジＨを含む棺全体の燃焼時間が短縮され、ＣＯ2排出量を低減させたエコロジカルな棺となる。
【００３１】
下箱１２と蓋１３（前蓋１３Ａおよび後蓋１３Ｂ）を含む棺１０の下地には化粧用の布地が貼り付けられる。布地の表面には模様や柄が付され、下箱１２と蓋１３とが一体感のある外観に仕上げられている。
【００３２】
ヒンジＨは、前蓋１３Ａと後蓋１３Ｂの表面の布地を縫い合わせることで形成される。すなわち、２枚の布地を重ねてヒンジ軸に相当する天板左右幅の長さだけ直線上に縫い合わせ、この縫い合わせ部分を天板同士の隣接部に来るように設けている。
なお、布地の縫い合わせは既存のミシン等で行われる。縫い合わせ部分に複数の直線上の縫い目を重ねて形成してヒンジ強度を高めるようにしてもよい。
【００３３】
前蓋１３Ａと後蓋１３ＢにヒンジＨを形成する方法としては、棺１０の前後方向に布地を重ねる方法と、棺１０の上下方向に布地を重ねる方法とがある。隣接部の仕上げ方や布地の色柄等を考慮して好ましい方を選択する。具体的には下記に示すようにヒンジＨを形成することができる。
【００３４】
［布地を前後方向に重ねる製法：図４〜図６参照］
２枚の布地を前後に重ねる製法では、図４に示すように、２枚の布地Ｔ，Ｔが前蓋１３Ａと後蓋１３Ｂの隣接部をそれぞれ独立に包み込むような格好になる。各蓋の天板同士の隣接部に各布地の縫い合わせ部分（ヒンジＨ）が配置され、この部分から分岐する４枚の布片Ｔａ，Ｔａ，Ｔｂ，Ｔｂのうち、２枚の布片Ｔａ，Ｔａが前蓋１３Ａの表裏面に貼り付けられ、２枚の布片Ｔｂ，Ｔｂが後蓋１３Ｂの表裏面に貼り付けられる。
【００３５】
布地Ｔ，Ｔとしては、前蓋１３Ａと後蓋１３Ｂの下地を覆い隠すのに十分なサイズのものを２枚準備する。これらの布地の表面同士を前後に重ね合わせ、その中央付近でヒンジＨの長さ分ミシン等で直線上に縫い合わせる（図５および図６参照）。この縫い合わせ部分を前蓋１３Ａと後蓋１３Ｂの天板同士の隣接部に一致させ、各布地の裏面を前蓋１３Ａと後蓋１３Ｂの下地に貼り付ける。前蓋１３Ａと後蓋１３Ｂの下端は、布端を重ねるなどして下地が見えないように仕上げる。
【００３６】
上記第１の製法では、前蓋１３Ａおよび後蓋１３Ｂの隣接部に布地Ｔ，Ｔをそれぞれ折り返して貼り付けることができる。このため、ヒンジＨの左右に連なる天板以外の隣接端（面取り板および側板の端面）において布地の端切れが発生せず、布貼りの仕上がりが良好になる。特に、前蓋１３Ａを開放したときに開口端面の見栄えのよい棺となる（図３参照）。
【００３７】
［布地を上下方向に重ねる製法：図７〜図９参照］
２枚の布地を上下に重ねる製法では、図７に示すように、布地Ｔ，Ｔが前蓋１３Ａと後蓋１３Ｂの隣接部をそれぞれ内側と外側から被覆する格好になる。各蓋の天板同士の隣接部に各布地の縫い合わせ部分（ヒンジＨ）が配置され、この部分から分岐する４枚の布片Ｔａ，Ｔａ，Ｔｂ，Ｔｂのうち、外側の２枚の布片Ｔａ，Ｔａが前蓋１３Ａと後蓋１３Ｂの表面に貼り付けられ、内側の２枚の布片Ｔｂ，Ｔｂが前蓋１３Ａと後蓋１３Ｂの裏面に貼り付けられる。
【００３８】
布地としては、蓋１３の下地を覆い隠すのに十分なサイズの布地を２枚準備する。これらの布地の裏面同士を上下に重ね合わせ、その中央付近でヒンジＨの長さ分ミシン等で直線上に縫い合わせる（図８および図９参照）。この縫い合わせ部分を前蓋１３Ａと後蓋１３Ｂの天板同士の隣接部に一致させ、各布地の裏面を前蓋１３Ａと後蓋１３Ｂの下地に貼り付ける。
布地Ｔ，Ｔのヒンジ両側部分については、縫い目の延長線上に切れ目を入れ（図８および図９参照）、ヒンジＨを除く隣接部の端面（面取り板および側板の端面）に布端を重ねて貼り付ける。また、前蓋１３Ａと後蓋１３Ｂの下端についても、布端を重ねるなどして下地が見えないように仕上げる。
【００３９】
上記第２の製法では、前蓋１３Ａと後蓋１３Ｂとの隣接部を跨いで布地Ｔ，Ｔを各蓋の下地に貼り付けることができるため、各蓋の隣接部で布地の模様や絵柄の連続性を保つことができる。このため、外観上の一体性に優れた棺となる。
【００４０】
このように第１実施形態の棺１０によれば、前蓋１３Ａと後蓋１３ＢのヒンジＨが各蓋の布地を貼い合わせることで形成されるため、金属蝶番が不要になり、ヒンジＨの燃え残りの問題を解消することができる。
また、ヒンジＨの外観には布地の表面がそのまま表れるため、布地の色や柄を活かして棺１０の見栄えを向上させることができる。
また、棺１０では、布地の縫い合わせ部分が開閉を繰り返しても紙製ヒンジのように破れることがなく、ヒンジＨの耐久性も十分に確保することができる。
さらには、棺１０の天板にヒンジＨの凹凸がほとんど生じないため、運搬や保管時に棺１０を積み上げてスペースの有効利用を図ることも可能になる。
【００４１】
［第２実施形態］
次に、本考案の第２実施形態を図１０および図１１に示した。第２実施形態は、蒲鉾形の蓋をもつ縦開き棺に本考案を適用したものである。
図１０に示すように、棺２０は、下箱２２の上に蒲鉾形の天板をもつ蓋２３が載置される。下箱２２と蓋２３の下地には布地による化粧仕上げが施されている。
【００４２】
蓋２３は、前蓋２３Ａと後蓋２３Ｂに分割され、これらの天板の頂上隣接部にヒンジＨが設けられている。ヒンジＨは、第１実施形態と同様に、前蓋２３Ａと後蓋２３Ｂに貼られた布地を縫い合わせることで形成される。すなわち、２枚の布地を重ねてヒンジ軸に相当する長さ分だけ直線上に縫い合わせ、この縫い合わせ部分を天板の隣接部に来るように設けている。
【００４３】
ここで、第２実施形態では、蓋形状が蒲鉾形になっているため、ヒンジＨが前蓋２３Ａと後蓋２３Ｂの頂上部分に限られる。このため、ヒンジＨに過度の力が加わると、縫い糸が解れて前蓋２３Ａとが後蓋２３Ｂとが分離するおそれがある。そこで、前蓋２３Ａと後蓋２３ＢのヒンジＨを除く左右の隣接部を架橋布Ｒで連結してある。
【００４４】
架橋布Ｒは、前蓋２３Ａと後蓋２３Ｂとの間で扇形に形成される（図１１参照）。前蓋２３Ａを閉じているときは架橋布Ｒが前蓋２３Ａと後蓋２３Ｂとの間に折り畳まれて隠れる。前蓋２３Ａを開放すると、架橋布ＲがヒンジＨの両側で“水かき”のように拡がって前蓋２３Ａと後蓋２３Ｂとの間に連なる。
【００４５】
架橋布Ｒの製法としては、前蓋２３Ａと後蓋２３Ｂの下地に貼り付ける２枚の布地を上下方向に重ねて縫い合わせるとよい。具体的には、図１２に示すように、蓋２３の下地を覆い隠すのに十分なサイズの２枚の布地Ｔ，Ｔを準備し、上下方向に重ねる。これらの布地を図１２破線に示すように、前後対称に円弧状に縫い合わせ、その中央縫い目の重なる部分をヒンジＨとする。
【００４６】
上記のように布地Ｔ，Ｔを縫い合わせた後、図１２破線に示す縫い目を矢印方向に引っ張り、境界線Ｌの位置にもって来る。こうすることで、引っ張られて弛んだ布地が架橋布Ｒとなる。
このような製法では、架橋布Ｒとして専用の布地を別個に準備する必要がなく、棺２０の製造工程が簡略化される。また、前蓋２３Ａと後蓋２３Ｂの隣接部を架橋布Ｒで覆うため、ヒンジＨの左右で布地に切れ目を入れる手間が省ける。さらには隣接部に布地の切れ端が見える心配もない。
【００４７】
第２実施形態の棺２０によれば、前蓋２３Ａと後蓋２３ＢのヒンジＨが布地の縫い合わせにより形成されるため、金属蝶番が不要で燃え残りが生じない。
また、ヒンジＨの外観には布地の表面がそのまま表れるため、ヒンジＨの目立たない見栄えの良い棺に仕上げることができる。
【００４８】
また、前蓋１３Ａと後蓋１３Ｂとが架橋布Ｒで繋がっているため、仮にヒンジＨで縫い糸が解れることがあっても、両者が分離して脱落するようなことが回避される。これにより、安心して前蓋１３Ａをの開閉を繰り返すことができる。
【００４９】
［第３実施形態］
第３実施形態を図１３に示した。第３実施形態の棺は、蓋が横方向に開閉する棺に本考案を適用したものである。一般に、横開きタイプの棺は、洋棺に多く採用される。
【００５０】
図１３に示すように、棺３０は、下箱３２の上方に前蓋３３Ａと後蓋３３Ｂが前後に並んで取り付けられる。これらの蓋３３Ａ，３３Ｂと下箱３２との隣接部にヒンジＨａ，Ｈｂが設けられている。下箱３２に対し前蓋３３ＡがヒンジＨａで開閉し、後蓋３３ＢがヒンジＨｂで開閉する。蓋３３Ａ，３３Ｂの形状は、第１実施形態と同様に、面取り板を有する台形蓋である。
【００５１】
下箱３２と蓋３３Ａ，３３Ｂを含む棺３０の下地には化粧用の布地が貼り付けられる。布地の表面には模様や絵柄が付され、棺３０の外観が一体感のあるものに仕上げられている。
【００５２】
ヒンジＨａ，Ｈｂは、下箱３２と蓋３３Ａ，３３Ｂとの隣接部の布地を縫い合わせることで形成される。すなわち、２枚の布地を重ねてヒンジ軸に相当する長さ分だけ直線上に縫い合わせ、この縫い合わせ部分を下箱３２と蓋３３Ａ，３３Ｂとの隣接部に来るように設けている。縫い合わせ部分から分岐する４枚の布片のうち隣り合う２枚が下箱３２の下地に貼り付けられ、残りの２枚が蓋３３Ａ，３３Ｂの下地に接着剤等で貼り付けられる。
【００５３】
第３実施形態の棺３０では、蓋３３Ａ，３３ＢのヒンジＨａ，Ｈｂが布地であるからヒンジＨの燃え残りが発生しない。
また、ヒンジＨの外観には布地の表面がそのまま表れるため、ヒンジＨａ，Ｈｂの目立たない見栄えの良好な棺に仕上げることができる。
また、布地の縫い合わせ部分が紙製ヒンジのように破れることがなく、ヒンジＨａ，Ｈｂの耐久性を十分に確保することができる。
【００５４】
［第４実施形態］
第４実施形態を図１４に示した。第４実施形態は、窓扉付き棺に本考案を適用したものである。一般に、棺の窓扉付き棺は、和棺に多く採用される。
【００５５】
図１４に示すように、棺４０は、下箱４２の上方に蓋４３が載置される。蓋４３の天板に窓枠４４が設けられ、この窓枠４４の左右に窓扉４５，４５がヒンジＨ，Ｈにより連結されている。窓扉４５，４５を左右に開けると、棺４０の内部を覗けるようになっている。
【００５６】
窓枠４４と窓扉４５，４５を含む棺４０の下地には化粧用の布地が貼り付けられる。布地の表面には模様や絵柄が付され、棺４０の外観が一体感のあるものに仕上げられている。
【００５７】
ヒンジＨ，Ｈは、窓枠４４と窓扉４５，４５との隣接部の布地を縫い合わせることで形成される。すなわち、化粧用の２枚の布地を重ねてヒンジ軸に相当する長さ分だけ直線上に縫い合わせ、この縫い合わせ部分を窓枠４４と窓扉４５，４５との隣接部に来るように設けている。縫い合わせ部分から分岐する４つの布片のうち、隣り合う２枚の布片が窓枠４４の下地に、残りの２枚の布片が窓扉４５の下地に接着剤等で貼り付けられる。
【００５８】
第４実施形態の棺４０では、窓枠４４と窓扉４５，４５を連結するヒンジＨが布地であるからヒンジＨの燃え残りが発生しない。
また、棺４０の外観が、窓枠４４にヒンジＨの目立たないシンプルなものになる。
さらに、布地の縫い合わせ部分が紙製ヒンジのように破れることがなく、ヒンジＨ，Ｈの耐久性を十分に確保することができる。
【００５９】
［変形例］
第１〜４実施形態を説明したが、本考案の実施形態はこれらに限定されることなく、種々の変形・変更を伴ってもよい。
例えば第１〜４実施形態では、２枚の布地を縫い合わせてヒンジとしているが、これらの布地を接着剤で貼り合わせてヒンジとすることもできる。
また、第１〜４実施形態では、平面四角形の棺形状としているが、下箱と蓋のコーナ部分に面取りを設けて平面八角形の棺としてもよい。また、蓋の形状を、平面的な平板状にしてもよい。
蓋および窓扉のヒンジの位置は、前記実施形態に限定されず、他の位置に設けてもよいことはもちろんである。
【符号の説明】
【００６０】
１０      棺
１２      下箱
１３      蓋
１３Ａ    前蓋
１３Ｂ    後蓋
２０      棺
２２      下箱
２３      蓋
２３Ａ    前蓋
２３Ｂ    後蓋
３０      棺
３２      下箱
３３Ａ    前蓋
３３Ｂ    後蓋
４０      棺
４２      下箱
４３      蓋
４４      窓枠
４５      窓扉
Ｈ          ヒンジ
Ｈａ，Ｈｂ  ヒンジ
Ｔ          布地
Ｔａ，Ｔａ  布片
Ｔｂ，Ｔｂ  布片
Ｒ          架橋布
【図１】
0003177103.tif 000003
【図２】
0003177103.tif 000004
【図３】
0003177103.tif 000005
【図４】
0003177103.tif 000006
【図５】
0003177103.tif 000007
【図６】
0003177103.tif 000008
【図７】
0003177103.tif 000009
【図８】
0003177103.tif 000010
【図９】
0003177103.tif 000011
【図１０】
0003177103.tif 000012
【図１１】
0003177103.tif 000013
【図１２】
0003177103.tif 000014
【図１３】
0003177103.tif 000015
【図１４】
0003177103.tif 000016